(57)【要約】【課題】サクランボ果実の容器詰めに関し、特に、極めて効率的且つ整然と整列した詰め作業を可能にする新規な構造からなるサクランボの整列詰め用具、およびこの用具を使用したサクランボの詰め方法を提供する。【解決手段】反転操作兼用作業板１に、底蓋３３が開口するサクランボ詰め容器３を取着し、当該容器３の中に、所定升目２６の格子状構造と、脚部２３と、操作用把持部２４とを有する格子状整列板２を落とし込み、この格子状整列板２を揺すりながら引き上げた後、底蓋３３を封口してから、反転操作兼用作業板１と当該容器３とを反転させ、同容器３の開口を閉鎖する。【選択図】　図３
2004018078.tif 000002
【特許請求の範囲】
【請求項１】
サクランボ果実の大きさ以上であって、サクランボ果実の大きさにその花柄長を加えた寸法未満の大きさの升目とした格子状構造で、対象とするサクランボ詰め容器の表側平面内法寸法よりもやや小さめとした全体平面形を有し、その下面側には、少なくともサクランボ果実よりも大きい長さに設定してなる脚部を複数本、平面配置状でバランスする箇所から下方に向けて突設すると共に、周縁の相対向状となる箇所からは、当該容器の周壁高さ寸法以上とした少なくとも一対の操作用把持部を夫々上方に向けて立設、形成してなる格子状整列板と、当該容器の表側平面外形寸法よりも大きい平面形とし、その輪郭よりも内側には、同容器の周壁外側面を内接し得る位置であって、同容器との組合わせ位置決めに有効な箇所適所に、同容器周壁外側面に当接状となる案内突子を形成してなる反転操作兼用作業板とからなるものとしたことを特徴とするサクランボ整列詰め用具。
【請求項２】
サクランボ果実の大きさ以上であって、サクランボ果実の大きさにその花柄長を加えた寸法未満の大きさの升目とした格子状構造で、対象とするサクランボ詰め容器の表側平面内法寸法よりもやや小さめとした全体平面形を有し、その下面側には、少なくともサクランボ果実よりも大きい長さに設定してなる脚部を複数本、平面配置状でバランスする箇所から下方に向けて突設すると共に、全体平面形を略二分する箇所を上面方向であって、当該容器周壁に略相当する高さまで屈曲させ、仕切り板を収容可能とする下向き溝部を形成したものとする一方、周縁の相対向状となる箇所からは、当該容器の周壁高さ寸法以上とした少なくとも一対の操作用把持部を夫々上方に向けて立設、形成してなる格子状整列板と、当該容器の表側平面外形寸法よりも大きい平面形とし、その輪郭よりも内側には、同容器の周壁外側面を内接し得る位置であって、少なくとも対角線上において相対することとなる二箇所を除いた箇所で、同容器との組合わせ位置決めに有効な箇所適所に、同容器周壁外側面に当接状となる案内突子を形成してなる反転操作兼用作業板とからなるものとしたことを特徴とするサクランボ整列詰め用具。
【請求項３】
格子状整列板は、その脚部先端を軟質材によって被覆した傷付け防止脚先に形成してなるものとした、請求項１または２何れか記載のサクランボ整列詰め用具。
【請求項４】
反転操作兼用作業板は、対角線上において相対することとなる二箇所の、案内突子を欠如した箇所に、仕切り板自立用の仮着手段を組み込んでなるものとした、請求項２または３何れか記載のサクランボ整列詰め用具。
【請求項５】
底蓋を開口したサクランボ詰め容器を、当該底蓋側を上向きとした状態で反転操作兼用作業板の案内突子に内接するようにして仮固定状とした上、該容器の中に、全体平板状で所定サイズの升目とした格子状構造の格子状整列板を挿入して反転操作兼用作業板上に自立状にした後、当該容器内の格子状整列板上に所定量のサクランボを装填してから、同容器の周壁高さ以上に立設、形成してある一対の操作用把持部を掴んで当該格子状整列板を揺すりながら静かに引き上げていくことにより、重量のあるサクランボ果実が先に升目を通過し、遅れて花柄が追随、通過する過程で、全てあるいは殆ど全てのサクランボが自動的にその果実側を下方にした姿勢で整列状に当該容器内に詰め込まれるようにし、その状態を確認してから当該容器底蓋を封口し、しかる後に反転操作兼用作業板共々、整列状にサクランボの詰め込まれた当該容器毎反転させ、反転操作兼用作業板が上位に位置するようにした上、該反転操作兼用作業板を当該容器上から取り外し、容器表開口面にサクランボ果実が整列状になった状態にして上蓋を被せ、封口してしまうようにすることを特徴とする、請求項１または３何れか記載のサクランボ詰め容器を利用したサクランボの整列詰め方法。
【請求項６】
底蓋を開口したサクランボ詰め容器を、当該底蓋側を上向きとした状態で反転操作兼用作業板の案内突子に内接するようにして坂固定状とした上、該容器の中に、同容器を二分する配置で仕切り板を挿入、立設状としたまま、全体平板状で、その平面形を二分する箇所には仕切り板を収容する下向き溝部が形成され、所定サイズの升目とした格子状構造の格子状整列板を挿入し、先の立設状とした仕切り板を下向き溝部に横合するようにして反転操作兼用作業板上に自立状にした後、当該容器内で下向き溝部によって二分された状態の格子状整列板上に所定量のサクランボを装填してから、同容器の周壁高さ以上に立設、形成してある一対の操作用把持部を掴んで当該格子状整列板を揺すりながら静かに引き上げていくことにより、重量のあるサクランボ果実が先に升目を通過し、遅れて花柄が追随、通過する過程で、全てあるいは殆ど全てのサクランボが自動的にその果実側を下方にした姿勢で整列状に当該容器内に詰め込まれるようにし、その状態を確認してから当該容器底蓋を封口し、然る後に反転操作兼用作業板共々、整列状にサクランボの詰め込まれた当該容器毎反転させ、反転操作兼用作業板が上位に位置するようにした上、該反転操作兼用作業板を当該容器上から取り外し、容器表開口面にサクランボ果実が整列状になった状態にして上蓋を被せ、封口してしまうようにすることを特徴とする、請求項２ないし４何れか記載のサクランボ詰め容器を利用したサクランボの整列詰め方法。
【請求項７】
仕切り板は、格子状整列板をサクランボ詰め容器に落とし込む前、またはその後に、反転操作兼用作業板の対角線上に相対する二箇所の仕切り板自立用の仮着手段によって仮固定され、格子状整列板の上にサクランボ果実を装填し、格子状整列板の操作用把持部を揺すりながら静かに引上げた後、仮着手段を解除するようにした、請求項６記載のサクランボの整列詰め方法。
【発明の詳細な説明】
【０００１】
【発明の目的】
この発明は、サクランボ果実の容器詰めに関するものであり、特に、サクランボ果実の所要量を専用の容器に詰め作業するに際し、一個ずつ手作業によって整列・収納することなく、極めて効率的且つ整然と整列した詰め作業を可能にすることにより、見た目にも美しく商品価値を高めた容器詰めサクランボを実現できるようにする新規な構造からなるサクランボの整列詰め用具、およびこの用具を使用した新規なサクランボの整列詰め方法を提供しようとするものである。
【０００２】
【従来の技術】
初夏の風物詩として誰にも愛されるサクランボは、生食用として専用の詰め容器に収納されて出荷・店頭販売されるものと、加工用で荷姿に殆どこだわることなく一まとめにして加工業者向けに出荷されるものとに大別されるが、さらに、この店頭販売されるものでも、整列詰めといわれる果実部分だけが表面に表れる荷姿にしたものと、果実部分や花柄の別なく表面に露となってしまうバラ詰めといわれる荷姿によるものとに分かれ、後者のバラ詰めによるものでは、単に詰め容器の中にサクランボ果実の所要量を装填、封口しただけのものとなるために、確かに詰め作業は簡単なことから安価なものとして提供可能にはなるものの、外観の美しさは求めるべくもなく、個々の果実として愛らしいサクランボもそれだけ商品価値を落してしまうことになる。
【０００３】
これに対し、整列詰めによるものでは、サクランボの果実の部分だけを表面に表れるように詰められているため、見た目は極めて美しく、商品価値を大巾に高めて経済効果を上げることができるものの、その詰め作業は、専用の詰め容器の中に一粒ずつ、果実部分を表面に見せるために花柄を裏側等に隠しながら手作業で整列させるという手間暇と特種技能とを必要とすることから、当然のことながら非効率であって、多くの作業労働者に頼らざるを得ず、人件費の高騰を招いて高価ものにしてしまうという従前からの問題に加え、サクランボの収穫時期が特定の短期間に限られるという特殊事情があるにも拘わらず、最近では就業労働者層が限定されてしまっていて人集めが極めて困難になり、自ずと生産量にも限界を生じて出荷数を制限せざるを得ないという、サクランボ栽培農家にとっては死活問題にもなり兼ねない事情が急浮上してきており、そうした事情を打開するため、作業効率を向上させ、短期間の中にできるだけ多くの出荷数を確保し得る秀れたサクランボ詰め用作業技術の開発、実現化が強く要望されている。
【０００４】
このような状況に対処すべく、本発明者は、先に実公平７−３８１１１号公報に記載されたとおりの「サクランボの箱詰め用治具」を逸早く、開発、実用化することに成功しており、この考案では、基板にサクランボ詰め用ダンボール箱の内側に略接するようにボックス体をガイド板で植設し、サクランボが楽に通過する程度の網目によって形成された整理板をボックス体内に配置、使用することにより、極めて簡便且つ効率的なサクランボの箱詰めを可能にすることになり、多くのサクランボ栽培農家から大いに好評を博すこととなった。
【０００５】
この成果を受けて拡販体制を整備する中、既に登録済みで拡販対象とするサクランボの箱詰め用治具は、該治具基板３上に、予め専用容器内法に略合致する形状、寸法としたガイド板４，４，…からなるボックス体５を立設、形成しておき、先ず、当該ボックス体５内に整理板７を配置した状態にしてから所定量のサクランボ果実を装填し、整理板を静かに引上げて抜き取る過程で自動的にサクランボ果実が下向き状態で整列された状態となるようにし、その後、然るべき詰め用ダンボール箱１をボックス体５に被せて（したがって、花柄がダンボール箱１の底面側に向いた状態となっているため）反転させると、花柄側がダンボール箱１の底面側に向いたまま下向きとなり、その結果、今度はサクランボ果実がダンボール箱１の表面側に向いて整列された状態になるようにしたものであり、何よりも治具基板３上に、予めガイド板４，４，…からなるボックス体５を立設、形成したものに形成しなければならず、治具製造に余計な材料費と工数とを要して価格高騰に繋がり、量販に不向きであるという課題を残すものであったという事実が突き止められた上、その治具による詰め作業においても、専用容器に直接サクランボを詰める構成にはなっておらず、サクランボ果実を装填したボックス体５から整理板７を引き上げ、抜き取ってサクランボ果実を整列状とした後に、改めてダンボール箱１を被せ、反転させるという煩雑な作業を要するものになっていて、それでも従前までの純粋に手作業だけによるものに比較すれば遥かに効率的なものに相違はなかったものの、さらなる改良の余地があるのではないかという認識を持つに至った。
【０００６】
そこで、この発明では、以上のような知見に基づき、できるだけ簡素化された構成による器具であって、より簡便な作業工数によってサクランボの詰め作業を可能にするような取扱い性に秀れた器具の実用化ができないものかとの判断から、先の考案の完成、提供を続ける傍ら、さらに開発、研究を継続し、長期に渡る試行錯誤と幾多の試作、実験とを繰り返した結果、今回、遂に新規な構成からなるサクランボの整列詰め用具、およびこの用具を使用した整列詰め方法を実現化することに成功したものであり、以下では、図面に示すこの発明を代表する実施例と共に、その構成を詳述することとする。
【０００７】
【発明の構成】
図面に示すこの発明を代表する実施例からも明確に理解されるように、この発明に包含されるサクランボの整列詰め用具は、基本的に次のような構成から成り立っている。
即ち、サクランボ果実の大きさ以上であって、サクランボ果実の大きさにその花柄長を加えた寸法未満の大きさの升目とした格子状構造で、対象とするサクランボ詰め容器の表側平面内法寸法よりもやや小さめとした全体平面形を有し、その下面側には、少なくともサクランボ果実よりも大きい長さに設定してなる脚部を複数本、平面配置状でバランスする箇所から下方に向けて突設すると共に、周縁の相対向状となる箇所からは、当該容器の周壁高さ寸法以上とした少なくとも一対の操作用把持部を夫々上方に向けて立設、形成してなる格子状整列板と、当該容器の表側平面外形寸法よりも大きい平面形とし、その輪郭よりも内側には、同容器の周壁外側面を内接し得る位置であって、同容器との組合わせ位置決めに有効な箇所適所に、同容器周壁外側面に当接状となる案内突子を形成してなる反転操作兼用作業板とからなるものとしたことを特徴とするサクランボ整列詰め用具である。
【０００８】
この基本的な構成からなるサクランボの整列詰め用具には、サクランボ果実の大きさ以上であって、サクランボ果実の大きさにその花柄長を加えた寸法未満の大きさの升目とした格子状樺造で、対象とするサクランボ詰め容器の表側平面内法寸法よりもやや小さめとした全体平面形を有し、その下面側には、少なくともサクランボ果実よりも大きい長さに設定してなる脚部を複数本、平面配置状でバランスする箇所から下方に向けて突設すると共に、全体平面形を略二分する箇所を上面方向であって、当該容器周壁に略相当する高さまで屈曲させ、仕切り板を収容可能とする下向き溝部を形成したものとする一方、周縁の相対向状となる箇所からは、当該容器の周壁高さ寸法以上とした少なくとも一対の操作用把持部を夫々上方に向けて立設、形成してなる格子状整列板と、当該容器の表側平面外形寸法よりも大きい平面形とし、その輪郭よりも内側には、同容器の周壁外側面を内接し得る位置であって、少なくとも対角線上において相対することとなる二箇所を除いた箇所で、同容器との組合わせ位置決めに有効な箇所適所に、同容器周壁外側面に当接状となる案内突子を形成してなる反転操作兼用作業板とからなるものとした構成のサクランボ整列詰め用具が包含される。
【０００９】
格子状整列板は、サクランボが比較的長い花柄（約４ｃｍ前後）とその果実（約２〜３ｃｍ前後）とからなる果実であって、その花柄の向きを制御することによって自然に果実の位置が決定されるという現象を活用することにより、サクランボ果実が所望の状態、即ち専用容器に詰め込まれた状態で果実が当該容器の外側に位置し、外観上で花柄を隠した状態に整列させる機能を果たすものであり、対象とする専用容器、例えば段ボール箱や木箱、プラスチック容器（サクランボ果実に直接当接する面に、サクランボ果実の納まりを良くする多数のポケット様凹部を形成してなる構造のもの等も包含される。）等の内側に納まる全体平面形であって、サクランボ果実の大きさにその花柄長を加えた寸法未満の大きさ（即ち、サクランボが完全に横置き状態で落下してしまう虞れのない大きさ）の升目とした格子状構造のものとしなければならず、この格子状構造には、綱材（好ましくはステンレス材）やプラスチック、竹等の細棒を交叉状に組み合わせたり、編んだ状態の所謂網状体のものの外、鋼材やプラスチックその他の板体を所定サイズの升目となるよう打ち抜いもの等が包含されており、後述する実施例に取り上げてあるものに代表されるように、所定サイズの角升目とする外、多角形や円形、楕円形の升目としたものにすることもできる。
【００１０】
そして、この格子状構造の下面側には、サクランボ果実よりも大きい長さに設定した脚部を、平面に配置した場合にバランスする箇所から下方に向けて突設し、また、上方側には、サクランボ詰め容器の周壁高さ寸法以上とした少なくとも一対の操作用把持部を上方に向けて立設、形成したものとする必要があり、当該脚部は、上記格子状整列板を詰め容器の中に落とし込んだときに同格子状整列板を略水平状に保持する機能を果たするものであって、全体平面形のバランスした配置となる箇所に複数本、最低でも３ないし４本を突設するようにし、この脚部の先端には、軟質材によって被覆して傷付け防止脚先としたものとすることにより、使用段階にサクランボ果実が脚部に接触しても傷付かず、品質の維持に寄与できるものとなって極めて好ましいものとすることができる。
【００１１】
また、上記操作用把持部は、格子状整列板の上に所定量のサクランボを開けた後、揺すりながら引き上げ操作してサクランボの姿勢を整列する際の把手として機能するものであり、少なくとも対象とする専用容器上端緑よりも上方に達するようにしたものとしなければならず、格子状整列板全体のバランスを取りながら引き上げる上で有効な箇所、例えば、後述の実施例に取り上げたような長手方向両側縁の夫々中央部分に対をなして形成されたものとする外、周縁よりも内側に対をなすように形成したり、あるいは平面形の重心位置に１本だけ立設状としたもの等とすることも勿論可能である上、専用容器上端縁から突出状になる部分には、把持に都合の良い形状、構造になるように屈曲させたり、バンドやプラスチックで被覆してなるもの等とすることもできる。
【００１２】
一方、反転操作兼用作業板は、整列詰め作業に際してサクランボ詰め容器を載置して位置決め且つ安定的に仮固定状とする機能を有し、サクランボ詰め容器よりも大きい平面形の比較的丈夫な板体、例えば木板や硬質プラスチック板、鋼板等比較的耐久性がであって平板状を維持可能にし、取扱いも容易になるよう、特に鋼板によるものでは重量の軽減化を図るために薄波板やパンチングメタル等によるものにすると好都合のものとなり、その表面内側で、対象とする専用容器の開口外側が内接する位置であって、位置決めに有効な箇所適所に、案内突子を形成してなるものとする。
【００１３】
なお、前記した格子状整列板には、サクランボ詰め容器の中を略二分する仕切り板を予め挿入、仮固定を可能とするような下向き溝部、例えば全体平面形を略二分する箇所を、詰め容器周壁に略相当する高さまで屈曲、形成したもの等とすれば、サクランボ詰め段階において、専用容器の中に予め仕切り板を配した状態でサクランボを分割、整列状の詰め作業も実施可能なものとなり、極めて望ましい格子状整列板とすることができる。
【００１４】
そして、この仕切り板を配した格子状整列板によるものでは、当該仕切り板自立用の仮着手段として、サクランボ詰め容器の中に仕切り板を仮止めする機能を果たす、例えば、サクランボ詰め容器の周壁にクリップする基部と、この基部に上下方向に回転自在に組み込まれ、先端から仕切り板を嵌め込む溝を形成した嵌合部を設け、基部を詰め容器の周壁にクリップした後、該嵌合部の溝内に仕切り板を嵌め込み仮着する手段、あるいは洗濯鋏の如く、バネ作用を利用して鋏の一方を詰め容器の周壁に押し付けると共に、仕切り板を嵌め込む溝を形成してある他方の鋏の溝を仕切り板に上方から嵌め込み、仮着する手段等を、上記反転操作兼用作業板の、前記格子状整列板の下付き溝部の両端が位置することとなる箇所に予め付設、あるいは後から着脱自在に組み込めるようにしたものにすると極めて好都合のものとすることができる。
【００１５】
【関連する発明】
上記したサクランボ整列詰め用具に関連し、この発明には、その整列詰め用具を利用したサクランボの整列詰め方法も包含されており、その構成の要旨は、基本的に次のとおりである。
即ち、底蓋を開口したサクランボ詰め容器を、当該底蓋側を上向きとした状態で反転操作兼用作業板の案内突子に内接するようにして仮固定状とした上、該容器の中に、全体平板状で所定サイズの升目とした格子状構造の格子状整列板を挿入して反転操作兼用作業板上に自立状にした後、当該容器内の格子状整列板上に所定量のサクランボを装填してから、同容器の周壁高さ以上に立設、形成してある一対の操作用把持部を掴んで当該格子状整列板を揺すりながら静かに引き上げていくことにより、重量のあるサクランボ果実が先に升目を通過し、遅れて花柄が追随、通過する過程で、全てあるいは殆ど全てのサクランボが自動的にその果実側を下方にした姿勢で整列状に当該容器内に詰め込まれるようにし、その状態を確認してから当該容器底蓋を封口し、然る後に反転操作兼用作業板共々、整列状にサクランボの詰め込まれた当該容器毎反転させ、反転操作兼用作業板が上位に位置するようにした上、該反転操作兼用作業板を当該容器上から取り外し、容器表開口面にサクランボ果実が整列状になった状態にして上蓋を被せ、封口してしまうようにした構成からなる、前記この発明のサクランボ詰め容器を利用したサクランボの整列詰め方法である。
【００１６】
この基本的な構成からなるサクランボの整列詰め方法には、底蓋を開口したサクランボ詰め容器を、当該底蓋側を上向きとした状態で反転操作兼用作業板の案内突子に内接するようにして仮固定状とした上、該容器の中に、同容器を二分する配置で仕切り板を挿入、立設状としたまま、全体平板状で、その平面形を二分する箇所には仕切り板を収容する下向き溝部が形成され、所定サイズの升目とした格子状構造の格子状整列板を挿入し、先の立設状とした仕切り板を下向き溝部に嵌合するようにして反転操作兼用作業板上に自立状にした後、当該容器内で下向き溝部によって二分された状態の格子状整列板上に所定量のサクランボを装填してから、同容器の周壁高さ以上に立設、形成してある一対の操作用把持部を掴んで当該格子状整列板を揺すりながら静かに引き上げていくことにより、重量のあるサクランボ果実が先に升目を通過し、遅れて花柄が追随、通過する過程で、全てあるいは殆ど全てのサクランボが自動的にその果実側を下方にした姿勢で整列状に当該容器内に詰め込まれるようにし、その状態を確認してから当該容器底蓋を封口し、しかる後に反転操作兼用作業板共々、整列状にサクランボの詰め込まれた当該容器毎反転させ、反転操作兼用作業板が上位に位置するようにした上、該反転操作兼用作業板を当該容器上から取り外し、容器表開口面にサクランボ果実が整列状になった状態にして上蓋を被せ、封口してしまうようにする、サクランボの整列詰め方法が包含されている。
【００１７】
このサクランボの整列詰め方法では、容器の中で、反転操作兼用作業板上に自立状にした格子状整列板上に所定量のサクランボを装填してから、格子状整列板に用意されている一対の操作用把持部を掴んで当該格子状整列板を揺すりながら静かに引き上げていく操作により、重量のあるサクランボ果実が所定サイズの升目とした格子状構造に先に嵌合して同格子状整列板よりも下方に落下することとなるが、その際に、サクランボの姿勢は、その果実よりも遅れて格子状整列板の格子状構造を通過することとなる花柄が当該格子状構造に規制されて必ず果実よりも上位に位置せざるを得ない状態、即ち、格子状整列板上において果実を確実に下にし、それよりも上位に花柄を立てた状態、さらに換言すれば、格子状整列板上伏せた状態（表開口を下にした状態）で仮固定されたサクランボ詰め容器から見た場合には、その表開口側に果実が揃う整列状に自動的且つ強制的になることから、後は、反転操作兼用作業板諸共、整列状にサクランボの詰め込まれた当該容器毎反転させ、反転操作兼用作業板が上位に位置するようにした上、該反転操作兼用作業板を当該容器上から取り外してしまいさえすれば、容器表開口面にサクランボ果実がきれいに整列状になったサクランボ詰めが可能になるものである。
【００１８】
上記のとおりのこの発明のサクランボ詰め容器を利用したサクランボの整列詰め方法は、全体平板状で、その平面形を二分する箇所には仕切り板を収容する下向き溝部が形成され、所定サイズの升目とした格子状構造の格子状整列板を利用する場合でも全く原理は変らず、仕切板で区切られたサクランボ詰め容器内の二分された空間において、夫々容器表開口面にサクランボ果実がきれいに整列状になったサクランボ詰めを実現することができ、特にサクランボ詰め容器が、透明パックで、通常であれば底面となる側を表にして陳列、提供するタイプの容器であって、その通常であれば底面となる側を反転操作兼用作業板上に当接するよう仮固定してこの発明の詰め作業を実施する（したがって、反転操作兼用作業板上には直接サクランボ果実は接触せず、通常であれば底面となる側の透明板部上に整列状となる。）場合に、当該透明板部を、予め装填するサクランボ果実のサイズに応じたポケット状の凹部に形成されてなるものを採用すれば、その整列具合はさらに整然とした状態の詰め外観のものにすることができて、極めて好都合のものとすることができる。
【００１９】
また、仕切り板を採用するサクランボ詰め容器への整列詰め方法では、格子状整列板をサクランボ詰め容器に落とし込む前か、または落とし込んだ後に、当該仕切り板を反転操作兼用作業板の対角線上に相対する二箇所の仕切り板自立用の仮着手段によって仮固定して実施されるようにすれば、仕切り板を収容する下向き溝部が形成された格子状整列板をサクランボ詰め容器内に挿入する際、当該下向き溝部への仕切り板の験合操作が極めて円滑、効率的に実施可能になることから、その種容器への整列詰め方法はより改善されたものになり、好都合のものとすることができる。
【００２０】
なお、この仕切り板を自立状とする仮着手段は、反転操作兼用作業板の、前記格子状整列板に設けられた下向き溝部両端に対応する箇所に設けられ、サクランボ詰め容器の周壁にクリップする基部と、この基部に上下方向に回転自在に組み込まれ、先端から仕切り板を観め込む溝を形成した嵌合部とから構成され、基部を当該容器の周壁にクリップした後、嵌合部の溝内に仕切り板を嵌め込み、仮着するようにした手段や、洗濯鋏の如く、バネ作用を利用して鋏の一方を当該容器の周壁に押し付けると共に、仕切り板を嵌め込むための溝の形成された他方の鋏の溝を仕切り板上方から嵌め込むようにして仮着する手段等がある。
以下では、図面に示すこの発明を代表する実施例について詳述することにより、上述したこの発明のサクランボ整列詰め用具、およびこの用具を使用したサクランボの整列詰め方法の構成がより一層明確に把握できるものとなるようにする。
【００２１】
【実施例１】
図１に示す反転操作兼用作業板に底蓋が開口する状態とした投ボール箱をセットしてなるものの斜視図、図２に示す格子状整列板の全体斜視図、図３に示すサクランボを詰め容器にサクランボを装填した状態を示す断面図に取り上げた事例は、反転操作兼用作業坂上に段ボール製のサクランボ詰め容器をセットし、該容器の中に格子状整列板を挿入、自立状とした後、該格子状整列板の上にサクランボをあけ、サクランボ果実の全部または殆ど全部を容器表面側に現わし、整列状とするようにした、この発明の基本的構成からなる最も代表的なサクランボ整列詰め用具による一実施例を示すものである。
【００２２】
図１に示すように、反転操作兼用作業板１は、対象とするサクランボ詰め容器３の外形寸法よりも大きい平面形の木材または樹脂等からなる板状体であり、その表面内側であって、当該容器３の外形に対応する平面形の対角線上において相対する二箇所に、夫々当該容器をその内側に内接して位置決め可能にする案内突子１１，１１を形成してある。
【００２３】
サクランボ詰め容器３として、この実施例では、底蓋４が開口する段ボール箱を使用するようにした事例としていて、この段ボール箱３を、伏せた状態、即ち、表開口３２を下にした状態にした上、前記反転操作兼用作業板１に形成した案内突子１１，１１の内側に沿ってその下端縁（表開口３２縁）の外側面が内接状になるようして位置決め、飯尚定した上、図１のとおり、該段ボール箱３の底蓋３３は、詰め作業に先立って開口させた状態にしておかなければならず、その状態で、この開口した段ボール箱３の中に、図２に示したとおりの格子状整列板２を挿入、落とし込み、格子状整列板２の下方に向けて突出、形成してある脚部２３，２３，…によって当該容器３内、反転操作兼用作業板１上に自立状となるようにする。
【００２４】
この格子状整列板２は、ステンレス製紙棒を採用し、サクランボ果実Ｃ１の大きさにその花柄Ｃ２長を加えた寸法未満の大きさに該当する略３ｃｍ角程度の升目２６，２６，…とした全体平板状の格子状構造で、段ボール箱３の全体平面形よりやや小さい外形となるよう、略３ｃｍ間隔で平行状配置とした経棒２１，２１，…、および同様の間隔で平行状配置とした経棒２２，２２，…を直交状に組み合わせた上、交叉部で熔着、一体化して角網状のものにすると共に、経棒２１，２１，…の各両端縁は、夫々サクランボ果実よりも大きい約３ｃｍ程度（この長さは限定されないものの、一定の長さ）部分を略直角かやや内側向きの直角に折り曲げ、各下端が極力同一面上に揃うようにしてそれら全てが脚部２３，２３，…を構成するようにし、反転操作兼用作業板１に自立状としたときにガタ付きを生じないようにしたものにすると共に、他方の緯棒２２，２２，…は、それら全ての両端側を、段ボール箱３の周縁３１の高さ寸法から上記脚部２３の折曲長、即ち約３ｃｍ程度を差し引いた値に相当する長さ分よりもやや大きくした寸法を上向き、略直角に折り曲げ、さらに外側に折り曲げて略水平状の把持部２４，２４，…としたものに形成されている。
【００２５】
なお、図中、２５は、緯棒２２，２２，…の両端側を折曲、形成した把持部２４，２４，…の把持具合を良くすると共に、それら把持部２４，２４，…がバラバラになって動かないようにするため、各端部側毎に全体を連係状に一体化してしまう把持板であり、また、脚部２３，２３，…の先端側には、図中省略しているが、シリコーン等の樹膳チューブで被覆したり、樹脂を塗布する等軟質材で被覆して傷付け防止構造によるものとすれば、詰め作業に際してこの発明の格子状整列板２を取り扱う際に、不用意にサクランボ果実に脚部２３，２３，…の何れかが接触したとしても傷付けてしまう虞れのないものとすることができ、サクランボの品質の維持の上で好都合のものとすることができて、望ましい格子状整列板２にすることができることとなる。
【００２６】
【実施例２】
上記実施例１では、升目６を有する格子状構造が、全面平板状で、サクランボ詰め容器３の中に仕切り板を採用していない事例について取り上げたが、この実施例では、仕切り板３４を配し、詰め容器３の中にサクランボを対角線上に二分して収容するようにした事例によるものとし、実施例に取り上げてはいないものの、必要に応じ、分割数、分割位置等を変更してなるものとすることも勿論可能であり、それらの事例については、略同様の技術で対応可能になることはいうまでもないことである。
【００２７】
図４の全体斜視図に示すように、この実施例の格子状整列板２′は、上記実施例１とは、下向き溝部を形成するために、サクランボ詰め容器３内を２分する位置に対応する経棒２１，２１，…、および緯棒２２，２２，…の所定箇所を上方側に屈曲、形成するようにした構成以外は、基本的に同様の構成からなるものであり、この格子状整列板２′は、サクランボ詰め容器３内に、その一方の対角線上に仕切板（図中、省略）を配するようにした場合を想定してなるものであり、経棒２１，２１，…では、その対角線に相当する平面位置に当たるズラした箇所の経棒２１，２１，…を、投ボール箱３の側縁３１の高さ寸法から上記脚部２３の折曲長、即ち約３ｃｍ程度を差し引いた値に相当する高さ分よりもやや大きくした略山折り状に順次上方に屈曲して下向き溝部用屈曲部２１′，２１′，…に形成すると共に、それに対応する箇所の緯棒２２，２２，…も、同様の高さの略山折り状に順次上方に屈幽して下向き溝部用屈曲部２２′，２２′，…に形成してなるものである。
【００２８】
【実施例３】
この実施例では、上記実施例１あるいは２何れかのサクランボ整列詰め用具を使用して実施するサクランボの整列詰め方法の中、特に採用するサクランボ詰め容器に特徴のあるものの事例として、底面一面だけが開口するようにした有底のプラスチック製パックを用いた事例を取り上げたものであり、図５には、サクランボを詰めて陳列、提供する状態にした容器３の縦断面図を示してある。
【００２９】
図６の概略図に示してあるとおり、この実施例におけるサクランボの整列詰め方法は、対象とするサクランボ詰め容器が、上記までのものと違い、全体が透明なプラスチック製であって、物を収容するために深く形成したパック本体部分と蓋部分とからなり、双方が蝶番部を介して繋がった構造の容器ではあるものの、通常使用のものではパック本体部分を下（したがって、物を入れる開口が上向き）とし、その上に蓋部分が蝶番部で屈曲されてパック本体部分の開口を覆ってしまうようにしたものとは違い、その蓋部分を下に位置させて座面部３ａとなし、蝶番部３ｃを介して繋がるパック本体部分がその座面部３ａの上に被さり、物を収容する機能を持った収容空間付き上蓋３ｂとするようにする、サクランボ詰め専用に形成された容器を採用してサクランボの整列詰めする際に、前記したこの発明の何れかのサクランボ整列詰め用具を使ってサクランボ詰めしようとするものである。
【００３０】
この専用のプラスチック製パック３を、先ず図６の工程の最初に表示してある状態（これがこの容器としての標準使用状態）から、サクランボ詰め作業に入る段階で反転して、所謂従前使用のような状態にしてしまい、反転操作兼用作業板に形成したこ箇所の案内突子の間に内接するようにして、プラスチック製パック３を仮固定状にして以降の作業工程をし易い状態にした上、座面部３ａを開いてしまい、収容空間付き上蓋３ｂを開口した状態に保ち、この開口した収容空間付き上蓋３ｂの中に、前記したこの発明の何れかのサクランボ整列詰め用具である格子状整列板２または２′を落とし込む。
【００３１】
そして、この格子状整列板２または２′の上から、収容空間付き上蓋３ｂの中に，花柄の付いたサクランボ果実の所定量を装填し、次いで、格子状整列板２または２′の操作用把持部２４（２５），２４（２５）を持って揺すりながら静かに引き上げるように操作して収容空間付き上蓋３ｂから完全に取り外すと、重量のあるサクランボ果実が所定サイズの升目とした格子状構造に先に験合して同格子状整列板よりも下方に落下することとなるが、その際に、サクランボの姿勢は、その果実よりも遅れて格子状整列板２または２′の格子状構造を通過することとなる花柄が当該格子状構造に規制されて必ず果実よりも上位に位置せざるを得ない状態、即ち、収容空間付き上蓋３ｂ内において果実を確実に下にし、それよりも上位に花柄を立てた状態となってしまい、サクランボ詰め容器であるプラスチック製パック３から見た場合には、その収容空間付き上蓋３ｂ面に果実が自動的且つ強制的に揃った整列状になる。
【００３２】
その後、それまで開いた状態としてあった座面部３ａを蝶番部３ｃを使って屈曲し、上記のようにサクランボを整列状に詰め込んである収容空間付き上蓋３ｂの開口を閉鎖し、適宜接着テープやホッチキス（商品名）等で閉鎖状態を坂止めしてしまってから、それらサクランボを整列詰めしたプラスチック製パック３を載置したまま、反転操作兼用作業板１を反転させて、反転操作兼用作業板をプラスチック製パック３の上にさせ、取り外すようにする。その結果、プラスチック製パック３は、このパックとしての標準使用状塵に戻り、収容空間付き上蓋３ｂ内に整列状に詰められたサクランボは、その花柄が下方に向いて果実の陰に隠れ、果実部分だけが透明な収容空間付き上蓋３ｂを通してきれいに並んだ状態で透視できるパック詰めサクランボとなる。
【００３３】
なお、この実施例では、反転操作兼用作業板１の上にプラスチック製パック３を仮固定状にし、それ以降の詰め作業がし易くなるようにした事例としているが、この実施例のサクランボの整列詰め方法では、必ずしもこの反転操作兼用作業板１の使用を必須とするものではなく、適宜作業台等の上に直接プラスチック製パック３を裏返した状態で載置し、それ以降の格子状整列板２または２′ゃサクランボの装填、封口、パックの反転といった作業を実施することも可能とするものである。
【００３４】
【作用】
以上のとおりの構成からなるこの発明のサクランボ整列詰め用具は、対象とするサクランボ詰め容器３の中の格子状整列板２または２′の上に、花柄Ｐの付いたサクランボ果実Ｃの所定量を装填した後、格子状整列板２または２′の操作用把持部２４（２５），２４（２５）を持って揺すりながら静かに引き上げていき、当該格子状整列板２または２′をサクランボ詰め容器３の中から完全に取り外すようにする操作により、重量のあるサクランボ果実Ｃ１の落下に遅れて格子状整列板２または２′の格子状構造を通過する花柄Ｐが、同格子状整列板２または２′の規制を受けて必ず果実よりも上位に位置せざるを得ない状態を強いられてしまう結果、サクランボＣは、その果実Ｃ１，Ｃ１，…の全てあるいは殆ど全てを確実に下にし、それよりも上位に花柄を立てた状態の姿勢に自動的且つ強制的に揃った整列状、換言すれば、サクランボ詰め容器であるプラスチック製パック３から見た場合、当該容器３の標準使用状態で、それが段ボール箱であれば表開口に、また透明なプラスチック製パックであれば、その収容空間付き上蓋３ｂ面に果実が向いた状態に整列することができるようにするものである。
【００３５】
また、このサクランボ整列詰め用具を使って、サクランボＣの整列詰めを実施する場合は、サクランボ果実Ｃ１，Ｃ１，…を、対象とするサクランボ詰め容器３をひっくり返し、その標準使用状態で下位である底面側を上向きにした状態で、上記サクランボ整列詰め用具を使い装填、整列状とした後、その底面側を封口し、然る後に、サクランボＣを収容したサクランボ詰め容器３を載置したまま、反転操作兼用作業板１を反転させてから、同反転操作兼用作業板１を取り外してしまいさえすれば、サクランボＣを整列、収容したサクランボ詰め容器３は、反転されて標準使用状態に復帰した段階にサクランボ果実Ｃ１，Ｃ１，…が整然と表側に表れ、花柄Ｐ，Ｐ，…は、サクランボ果実Ｃ１，Ｃ１，…の陰に隠れて表面から見えない状態に収容することができるものとなる。
【００３６】
そして、サクランボ詰め容器が段ボール箱３であれば、整列状に露となっている表開口３２に、別に用意してある上蓋（図示せず）を被せ、例えば、接着テープや包装用テープで括る等して封口し、陳列または出荷の形態を整えたものとし、また透明なプラスチック製パックであれば、反転操作兼用作業板１を反転させて取り外した状態でその陳列または出荷の形態を整えたものとなる。
【００３７】
一方、サクランボ詰め容器が５キロ詰め用、１０キロ詰め用等と大型の場合で、荷ズレを防止するために仕切板を使って区分詰めをする必要のあるとき等には、サクランボ詰め容器にサクランボ整列詰め用具を挿入、セットする工程で、当該格子状整列板２を落とし込む前に当該容器３内に図示しない仕切り板をセットし、仕切り板自立用の適宜仮着手段によって仮固定状にしてしまい、その後に同格子状整列板２の下向き溝部に、自立状に仮固定当してある該仕切り板を嵌合状にするか、または落とし込むときに下向き溝部に当該仕切り板を嵌め込んだ状態にしたまま、対象とするサクランボ詰め容器３の所定箇所にセットしてしまうようにするかし、その後、サクランボＣを詰め容器３内の格子状整列板２の上に所定量のサクランボＣを詰めていく以降の工程は、上記した仕切り板を要しないサクランボ詰め工程と全く同様となり、サクランボ整列詰め用具を揺すりながら引き上げた後には、整列状となったサクランボＣを所定箇所で区分した状態の仕切り板がサクランボＣを詰め容器３内に残ることとなる。
なお、仕切り板を仮着手段で仮固定しているときは、格子状整列板２′を揺すりながら引上げた後に解除してしまうようにすればよい。
【００３８】
【効果】
以上のとおりの構成からなるこの発明のサクランボ整列詰め用具、およびこの用具を使用したサクランボの整列詰め方法では、従来の純粋に手作業だけによるサクランボの整列詰めに比較して遥かに作業効率の良いものになるだけではなく、既に実用化済みとなっているもののように、治具基板３上に、予めガイド板４，４，…からなるボックス体５を立設、形成したものにする必要もなく、また、サクランボ果実を装填したボックス体５から整理板７を引き上げ、抜き取ってサクランボ果実を整列状とした後に、改めてダンボール箱１を被せ、反転させるという煩雑な作業を要することなく、反転操作兼用作業板上に直接サクランボ
詰め容器をひっくり返した状態で位置決め、仮固定状としての作業を可能にするものとなることから、治具製造に余計な材料費と工数とを要して価格高騰を招くこともなく、詰め作業自体の工数も簡略化されたものになり、箱詰め労働力の確保が難しくなっているサクランボ栽培農家向けに、比較的安価にして安定した提供を可能にするものとなるという秀れた効果が得られるものとなる。
【００３９】
特に、実施例として取り上げたこの発明を代表するサクランボ整列詰め用具、およびこの用具を使用したサクランボの整列詰め方法によるものでは、上記した特徴に加え、同一形状に屈曲形成した複数本の経棒２１，２１，…と、同じく、他の同一形状に屈曲形成した複数本の緯棒２２，２２，…とを用意し、夫々の複数本同士を所定の間隔で平行状配置とした上、直交状に組み合わせ、交叉部で熔着、一体化して角網状のものにすることによって規格どおりのものを簡便に製造可能にすると共に、仕切板を必要とする場合に対応し得るよう下向き溝部を形成するようにしたものにおいても、各部位のものを部位毎に予め大量に成形、用意して順番に組み合わせるようにすれば、下向き溝部のない上記した構造のものと大差ない程度の生産性を確保できることから、極めて量産に適した構造のものとすることができるという大きな利点も有するものとなる。
【００４０】
さらに、この発明のサクランボ整列詰め用具は、対象とするサクランボ詰め容器として専用の透明なプラスチック製パック、即ち座面部３ａと収容空間付き上蓋３ｂとが蝶番部３ｃで繋がった構造の容器に対しても対応可能にするものであり、この専用の透明なプラスチック製パックに対してこの発明のサクランボ整列詰め用具を使用してサクランボＣの整列詰めをする方法では、投ボール箱に整列詰めするときよりも工数を減らすことができるようになる上、場合によっては、反転操作兼用作業板１の使用も省略可能にするという利点も得られ、極めて効率的な整列詰めを可能にするものとなり、また、格子状整列板の脚部２３，２３，…の先端を軟質材で被覆し、傷付け防止構造を採用したものでは、詰め作業の過程で不用意にサクランボＣに傷を付けてしまうといった不測の事態が未然に防止できるものとなって、品質の維持に大いに役立つという実用的な効果も得られるものになる。
【００４１】
叙述のとおり、この発明のサクランボ整列詰め用具、およびこの用具を使用したサクランボの整列詰め方法は、その新規な構成によって所期の目的を普く達成可能にするものであり、しかも、比較的簡素な構造からなるものとして簡便な製造を可能にするものとなっていて大量且つ安定した提供を可能にしていることから、時期的に集中するという特殊な労働事情に加え、就業労働者層の変化もあって作業労働者の確保に苦労するサクランボ栽培農家からは作業効率を高め、出荷数の増加や人件費の削減、原価の低減等のための有効な手段として高い評価がなされるだけではなく、実際にサクランボ詰めに従事する作業労働者からも、長時間の作業を続けても疲労が少なく作業性の良いものとして高く評価され、広く採用、普及していくものになると予想される。
【図面の簡単な説明】
図面は、この発明のサクランボの整列詰め用具、およびこの用具を使用したサクランボの整列詰め方法に関わる代表的な実施例によるものである。
【図１】反転操作兼用作業板に段ボール箱をセットした状態を示す斜視図である。
【図２】格子状整列板を示す斜視図である。
【図３】段ボール箱および格子状整列板の上からサクランボを開けた状態を示す断面図である。
【図４】仕切り板を収容する下向き溝部を形成した格子状整列板の斜視図である。
【図５】専用の透明なプラスチック製パックにサクランボを詰めた状態を示す縦断面図である。
【図６】同容器に対してこの発明のサクランボ整列詰め用具を使用してサクランボの整列詰めをする方法を説明する工程図である。
【符号の説明】
１　　　　反転操作兼用作業板
１１　　　同　案内突子
２　　　　サクランボ整列詰め用具（格子状整列板）
２′　　　サクランボ整列詰め用具（下向き溝部付き格子状整列板）
２１　　　同　経棒
２１′　　同　下向き溝部用屈曲部
２２　　　同　緯棒
２２′　　同　下向き溝部用屈曲部
２３　　　同　脚部
２４　　　同　操作用把持部
２５　　　同　把持板
２６　　　同　升目
３　　　　サクランボ詰め容器（段ボール箱またはプラスチック製パック）
３１　　　同　周壁
３２　　　同　表開口
３３　　　同　裏蓋
３ａ　　　同　座面部
３ｂ　　　同　収容空間付き上蓋
３ｃ　　　同　蝶番部
Ｃ　　サクランボ
Ｃ１　　　同　果実
Ｐ　　サクランボの花柄
【図１】
2004018078.tif 000003
【図２】
2004018078.tif 000004
【図３】
2004018078.tif 000005
【図４】
2004018078.tif 000006
【図５】
2004018078.tif 000007
【図６】
2004018078.tif 000008